(57)【特許請求の範囲】
【請求項１】
洗剤中における再付着防止剤としての、疎水性基で変性された多糖類ミクロゲルの使用。
【請求項２】
洗剤中における増粘剤としての、疎水性基で変性された多糖類ミクロゲルの使用。
【請求項３】
洗剤中における界面境界での、表面張力を低減させるためのものとしての、疎水性基で変性された多糖類ミクロゲルの使用。
【請求項４】
多糖類ミクロゲルがＣ６〜Ｃ１８の長鎖を有する非分岐鎖アルキル基で変性される、請求項１〜３のいずれかに記載の使用。
【請求項５】
疎水性基で変性された多糖類ミクロゲルが５〜５０％の置換を有する、請求項１〜３のいずれかに記載の使用。
【請求項６】
水と、界面活性剤と、再付着防止剤と、から構成される洗剤であって、多糖類ミクロゲルが前記再付着防止剤として使用され、その組成が、
０．１〜１５質量％の界面活性剤、
０．１〜５質量％の多糖類ミクロゲル、
残部が水、であり、
前記多糖類ミクロゲルが疎水性基で変性された、洗剤。
【請求項７】
水と、界面活性剤と、増粘剤と、から構成される洗剤であって、多糖類ミクロゲルが増粘剤としての機能を果たし、その組成が、
０．１〜１５質量％の界面活性剤、
０．１〜５質量％の多糖類ミクロゲル、
残部が水、であり、
前記多糖類ミクロゲルが疎水性基で変性された、洗剤。
【請求項８】
水と、界面境界における表面張力を低減させる剤と、から構成される洗剤であって、多糖類ミクロゲルが界面境界における表面張力を低減させる剤としての機能を果たし、その組成が、以下の通り
０．１〜５質量％の多糖類ミクロゲル、
残部が水、であり、
前記多糖類ミクロゲルが疎水性基で変性された、洗剤。
【請求項９】
洗剤が０．１〜５０質量％を構成する酸の範囲を含有する、請求項６から８のいずれかに記載の洗剤。
【請求項１０】
洗剤が０．１〜５０質量％を構成するアルカリの範囲を含有する、請求項６から８のいずれかに記載の洗剤。
【請求項１１】
多糖類ミクロゲルが、変性デンプンおよび／または変性ペクチン、および／または変性カルボキシメチルセルロース、および／または変性キトサンをベースとするミクロゲルを示す、請求項６から８のいずれかに記載の洗剤。
【請求項１２】
洗剤が０．１〜５０質量％を構成する界面活性剤を含有する、請求項８に記載の洗剤。
【発明の詳細な説明】
【技術分野】
【０００１】
発明のこのクラスターは、化学薬品産業に、特に、家庭での使用、業務用の使用、または個人での使用を意図した洗剤の添加剤に関する。
【背景技術】
【０００２】
家庭用洗剤および工業用洗剤の洗浄力は、洗剤の能力、すなわち汚れた表面をその初期の汚れていない状態に戻す能力、をベースとした総合的な性質を示す。洗浄力は、汚染された領域のみからというよりは、表面全体から汚染を完全に除去する能力を基準として評価される。良好で適切な、価値ある洗剤は、表面から汚染を除去するだけでなく、溶液中で汚染物を保持し、洗浄した表面へこれらの汚染が二次的に沈着するのを防ぐことが可能でなければならず、すなわち、洗剤は汚染物の再付着防止機能または汚染物を安定化させる効果を有するべきである。最も一般的な合成洗剤は、汚染物を抑止する能力が比較的低く、そのため小さな粒子が、例えば布地上へ再沈着することが可能となり、布地は数回洗浄された後に灰色がかった色になってしまう。洗浄した硬い表面（皿、窓、車）への二次的な沈着は、汚染された表面が余分な洗浄を要するため、界面を活性させる剤の消費量を増加させる。
【０００３】
消費者にとっての洗剤の品質は、洗剤の洗浄力（汚れを落とす力）に限定されないこともまた重要である。洗剤の品質はまた、消費者の皮膚に優しいこと、洗剤の粘度および泡立ちにも依存する。食器洗い洗剤、衛生陶器洗剤、硬い表面を洗浄するための洗剤、シャンプーなどの個人の衛生用製品には、高い粘度は必須である。高い粘度は、洗剤の消費量を削減し、洗剤が表面上で均一に広がり、相当な時間、洗剤が表面上に保持されるように向上させる。洗剤を増粘するために、複数の方法を使用することができる。使用される方法の１つは、カルボキシメチルセルロース、ポリビニル塩化ピロリドン、キサンタンまたはグアーガムなどの、ポリマーを添加することである。ポリマーは表面活性ではなく、ポリマーは洗剤の主要な目的に寄与しない、混合物の余分な成分に過ぎないため、本方法は完全ではない。別の方法は、高い濃度の界面活性剤を使用するもの、または液晶相を形成する界面活性剤を使用するものである。その場合、界面活性剤自体が増粘剤として作用するが、そのような洗剤は、多量すぎるほどの界面活性剤を含有するか、または使用される界面活性剤が高価であるかのいずれかである。また別の、最も一般的な、粘度を増大させる方法は、塩、通常は塩化ナトリウムを添加することである。界面活性剤は溶液から塩析し、粘稠な液晶相を形成する。本方法は、洗剤の皮膚への刺激を強くし、また一方で洗剤の洗浄力を低減させる。
【０００４】
洗剤の泡立ち性は、洗浄力にはほとんど影響しないが、泡立ちにより洗剤消費量の視覚的な制御が促進される。泡立ちは通常、適切な界面活性剤の選択により、またはポリマー添加剤により制御される。どちらの場合も、界面活性剤またはポリマー添加剤のいくらかの量は泡立ちにより消費されるため、一般的な界面活性剤の消費量に悪影響を与える。
【０００５】
したがって、洗剤は通常、多量の界面活性剤（１５〜３０％）を含有し、それにより適用またはその後のプロセスにおいて、環境および消費者に害を与え、汚染し得る。界面活性剤の、少量の一部のみが汚染物と結合することに関与し、一方で界面活性剤の大部分の量は、濃度を増大させるために使用されると理解すべきである。界面活性剤の消費量を低減するために、再沈着防止剤を洗剤に添加する。そのような再沈着防止剤として使用される親水性ポリマーは、綿のためのカルボキシメチルセルロース、またはウール布地もしくはシルク布地のためのポリビニルピロリドン、またはアルカリ塩（ソーダ灰、トリポリリン酸ナトリウム、リン酸三ナトリウム、ヘキサメタリン酸塩もしくはケイ酸塩）であり、それらが洗剤の乳化能力とコロイド状構造を向上させ、洗剤の、異物粒子の周りへのフィルム形成を強化し、したがって、異物粒子が布地表面に沈着する割合を低減させる。
【０００６】
５〜９５％の多糖類が水溶性、非置換のヘミセルロースを示す多糖類を含む洗剤がある［２０１１年６月２２日発行の、欧州特許出願公開第２３３６２８３Ａ１号明細書、Ｃ１１Ｄ３／００およびＣ１１Ｄ３／２２］。
【０００７】
また、粉末洗剤およびサイズが１〜１００μｍの多糖類粒子を含有する洗剤もある［２０１６年１１月８日発行の、米国特許出願第２０１６２３０１２４号明細書、Ｃ１１Ｄ１７／０４３、Ｃ１１Ｄ１７／０６、Ｃ１１Ｄ３／２２２およびＣ１１Ｄ３／２２５］。
【０００８】
１種以上の界面活性剤および１００ｎｍ未満の粒子径の、乾燥多糖類の形態の添加剤を含有する以下の洗剤が本発明の原型として選択された（２０１０年１１月３０日発行の、米国特許第７８４２６５８号明細書、ＭＰＣ  Ａ６１Ｋ８／７３、Ｃ１１Ｄ１／００およびＣ１１Ｄ３／２２）。
【発明の概要】
【発明が解決しようとする課題】
【０００９】
この原型の欠点は、微細粉末の形態で親水性ポリマーを使用することであるが、この微細粉末が再付着防止剤として安定な懸濁液を形成する。この場合、再付着防止剤粉末のほとんどすべてがポリマーで構成されるため、再付着防止剤の消費割合が高かった。加えて、これらの粒子は表面への十分な親和性を有さず、表面上にばらばらの、安定しない層を形成し、界面活性剤ではなく、かつ溶液中に洗剤の主要目的に寄与しない余分な成分である。既知の洗剤および洗剤中に含有される添加剤を使用して、洗剤中の界面活性剤の消費割合を低減させることは可能である。
【課題を解決するための手段】
【００１０】
発明の提案されるクラスターは、環境保護特性およびユーザにとっての洗剤の安全性を向上させることを目的とする。
【００１１】
発明の本クラスターの技術的成果は、洗剤の洗浄力を維持しつつ、洗剤中の界面活性剤量を低減することである。
【００１２】
この技術的成果は、洗剤中の基剤または添加剤としての多糖類ミクロゲルの使用、およびこのようなミクロゲルを使用する洗剤によって達成される。
【００１３】
洗剤の再付着防止剤としての多糖類ミクロゲルの使用。
【００１４】
洗剤の増粘剤としての多糖類ミクロゲルの使用。
【００１５】
洗剤の界面における表面張力を低減させる成分としての多糖類ミクロゲルの使用。
【００１６】
水、様々な界面活性剤および再付着防止剤から構成される洗剤であって、上記再付着防止剤が多糖類ミクロゲルから成る点が異なり、以下の比率、
０．１〜１５質量％の界面を活性させる剤の組合せ、
０．１〜５質量％の多糖類ミクロゲル、
残部が水、にて実施される。
【００１７】
水、様々な界面活性剤および増粘剤から成る洗剤で、上記増粘剤が多糖類ミクロゲルから成る点が異なり、以下の成分の比率、
０．１〜１５質量％の界面を活性させる剤一式、
０．１〜５質量％の多糖類ミクロゲル、
残部が水、である。
【００１８】
水および界面境界で表面張力を低減させる成分から成る洗剤であり、上記界面の表面張力を低減させる成分は多糖類ミクロゲルを含有する点で異なり、成分間の比率は以下の通り、
０．１〜５質量％の多糖類ミクロゲル、
残部が水、である。
【００１９】
ミクロゲルは、電荷を帯びた官能基間の、静電気または立体障害の反発力のために、溶媒中で大幅に膨潤することができる、直径０．１〜１μｍの分岐鎖ポリマーのコロイド粒子を表す。これらの粒子は、モノマーの、方向性のある重合によって、またはカルボキシル基もしくはアミノ基を有する合成ポリマーもしくは天然ポリマー溶液の、ｐＨによって誘発される中和によって発生する。
【００２０】
０．１〜１μｍの直径を有する天然多糖類のコロイド状溶液を多糖類ミクロゲルと見なすことができ、多糖類ミクロゲルの粒子は、９０〜９９％の水、例えば、低置換度（４０％未満）カルボキシメチルセルロースもしくは脂肪族アミン（ブチルアミン、ベンジルアミン、エチレンジアミン、ヘキサメチレンジアミン）と形成されるその塩、脱アセチル化度が９０〜９７％のキトサンおよびその有機酸との塩、２５％未満のメタキシル基残留量を有するペクチン物質および脂肪族アミン（ブチルアミン、ベンジルアミン、エチレンジアミン、ヘキサメチレンジアミン）とのそれらの塩、変性デンプン、またはサブミクロンサイズの安定したゲルを形成することができるその他の物質を有するゲルを示す。
【００２１】
より安定した多糖類ゲルを生成するために、多糖類のポリマー鎖は、無水物またはジカルボン酸、ジイソシアニド、ジイソシアネートの活性エーテルまたはその他の架橋剤を使用して、化学的に架橋される。発明の本クラスターに使用される多糖類ミクロゲルは、また物理的会合によっても生成することができる。
【００２２】
多糖類ミクロゲルは、Ｃ６〜Ｃ１８の鎖の長さを有する、非分岐鎖アルキルの凝集体に代表され得る疎水性凝集置換基で変性することができる。ココナッツオイル、大豆油、ヒマワリ油、菜種油などの天然オイルの脂肪酸は、Ｃ６〜Ｃ１８の長さの鎖を有する非分岐鎖アルキル基の原料として使用することができる。Ｃ６〜Ｃ１８の長さの鎖を有する非分岐鎖アルキル基で変性した多糖類ミクロゲルは容易に酸化される。したがって、これらの多糖類ミクロゲルは環境と人にとって最も安全である。その他の疎水性基、例えば分岐鎖アルキル置換基、アリール置換基、２つの脂肪族置換基を有するアミノ酸残基などもまた使用することができる。好ましくは、疎水性凝集で変性された多糖類ミクロゲルは５〜５０％の置換度を有するべきである。置換が５％未満の場合、多糖類ミクロゲルは低い界面活性を示し始める可能性がある。置換が５０％を超える場合、多糖類ミクロゲルは水溶性を失い、洗剤中で使用されなくなる可能性がある。疎水性凝集体で変性された多糖類ミクロゲルは、際立った界面活性を特徴とし、したがって、それらの多糖類ミクロゲルは増粘剤または界面張力を低減する成分としての界面活性剤として好ましい。非変性多糖類ミクロゲルはほとんどの場合、再付着防止剤として使用される。しかし、多糖類ミクロゲルを洗剤中で使用することで、両方の場合において、洗剤中の界面を活性させる剤の濃度を低減することが可能となる。
【００２３】
多糖類ミクロゲルは、中性洗剤、酸性洗剤またはアルカリ性洗剤中に様々な界面活性剤と組み合わせて含まれることができる。多糖類ミクロゲルはまた、界面活性でありつつ、洗剤の基剤製品として使用することができる。多糖類ミクロゲルと界面活性剤を組み合わせる場合、界面活性剤の選択は、界面活性剤の組成に基づくべきである。正電荷を帯びた表面を有するミクロゲルはカチオン性界面活性剤と組み合わせて、一方で負電荷を帯びた表面を有するミクロゲルはアニオン性界面活性剤またはノニオン性界面活性剤と組み合わせて使用することができる。カルボキシメチルセルロース、デンプン、またはペクチンを有する多糖類ミクロゲルは、例えば、中性条件または酸性条件で、アニオン性界面活性剤またはノニオン性界面活性剤と組み合わせて使用することができる。他方では、キトサンベースのアミノ基を有する多糖類ミクロゲルは、カチオン性界面活性剤と組み合わせて使用することができる。概して、洗剤中の成分を組み合わせるための規則は、反対の電荷記号を有する成分を混合するときに、不溶性沈殿物の形成において示される負の効果によって説明できる。
【００２４】
乾燥重量を基準として計算される多糖類ミクロゲル全体の濃度は、０．１〜５％の範囲内であるべきである。多糖類ミクロゲルの濃度が低いと、再付着防止効果と表面活性が弱くなり、一方で多糖類ミクロゲルの濃度が高いと、ミクロゲルが洗剤全体の体積の大部分を占めるようになり、粘度が高くなりすぎる可能性がある。
【００２５】
界面活性剤の凝集は、アニオン性界面活性剤、ノニオン性界面活性剤、カチオン性界面活性剤、両性界面活性剤など多くの種類を含んでいる可能性がある。ラウリル硫酸ナトリウム、アルキルスルホン酸およびその塩、脂肪酸の塩などのアニオン性物質、ココナッツオイルにおける脂肪酸のジエテノールアミドの配糖体、またはオキシエチル化脂肪スピリットなどのノニオン性物質、脂肪族アミンの４級アンモニウム塩、脂肪酸のベタイン、アシルコリンなどのカチオン性物質、ならびにその他の既知の界面活性剤を使用することができる。濃度が高くなると、ユーザに潜在的な有害性を示すため、洗剤中の界面活性剤全体の濃度は１５％を超えてはならない。
【００２６】
酸は、酢酸、オルトリン酸、スルファミン酸もしくはクエン酸またはその他の酸など、様々な有機酸および／または無機酸を含むことができる。
【００２７】
アルカリは、苛性ソーダ、脂肪族アミン、またはその他の既知のアルカリなど、様々な有機塩基または無機塩基を含むことができる。
【００２８】
洗剤中の酸とアルカリ全体の濃度は、非常に広い範囲で変化し得るが、通常は０．１〜５０％の範囲である。この範囲の濃度は、洗剤を水で希釈する際に、酸もしくはアルカリの必要な濃度または必要なｐＨレベルが確実に達成されるようにする。
【００２９】
洗剤は、食品または化粧品製造に使用するために認可された、懸濁剤（尿素、ベタイン、安息香酸塩、サリチル酸塩、フタル酸塩、シュウ酸塩またはスルホン酸塩、トルエンスルホン酸など）、有機溶媒（エタノール、メトキシエタノール、メトキシプロパノール）、防腐剤（メチルイソチアゾール、安息香酸、ソルビン酸、アルキルパラベン）、増粘剤（グルコン酸ナトリウム、多ケイ酸塩、ポリリン酸塩）、染料および香料などの様々な、補助的な成分を含有することができる。
【００３０】
発明の提案されるクラスターは、多糖類ミクロゲルを洗剤中で再付着防止剤、増粘剤または界面境界の張力を低減させる剤として使用することを提案するため、新規の特徴、未知の先端技術を特徴とする。多糖類ミクロゲルはターゲットとなる表面に沈着し、より強力かつ熱力学的に安定した親水性フィルムを生成し、それにより本来疎水性の汚染物および硬い粒子の再沈着を防止する。さらに、多糖類ミクロゲルは疎水性汚染物に高い親和性を有するため、多糖類ミクロゲルは疎水性汚染物の表面に粘稠なフィルムを形成し、このフィルムもまた疎水性汚染物の洗浄された表面への再沈着を防止する。多糖類ミクロゲルはまた、安定した泡を生成することによって空気／水の界面境界を安定させることができ、それらの多糖類ミクロゲルはさらに、溶液中に網目状構造を生成することによって洗剤の粘度を大幅に増大させる。
【００３１】
上記の性質のために、多糖類ミクロゲルは洗剤中に追加の界面活性剤を導入する必要性を排除する。追加の界面活性剤は従来の界面活性剤で置き換えることができ、それにより、確実に、洗浄の洗浄力を維持しつつ洗剤中の界面活性剤量を低減させるという、主張する技術的目標が達成される。また多糖類ミクロゲルは環境および人に安全であるため、多糖類ミクロゲルは洗剤の環境保護特性および安全性を向上させる。多糖類ミクロゲルを洗剤中の基剤または添加剤として使用し、それによって二次的な汚染を排除し、良好な泡立ちを生成しかつ洗剤の粘度を増大させるように、上述の多糖類ミクロゲルの性質は先端技術に既知のものではなかった。
【００３２】
上記の議論は、発明の提案されるクラスターが、適切な産業分野の専門家にとって新規であり、かつ当然のものでないことを示唆する。したがって、発明の本クラスターは、特許基準である「新規性」および「進歩性」を満たす。
【００３３】
発明の提案されるクラスターは、周知の材料および周知の製造方法の使用を可能とするが、それにより発明の本クラスターは特許基準である「産業上の利用可能性」を満たすことが示唆される。
【００３４】
発明の提案されるクラスターを実験室にて試験した。試験結果は表１および表２に提示され、また、洗剤の実施例において多糖類ミクロゲルは基剤または添加剤として含まれた。
【００３５】
達成された技術的成果についての、客観的なデータを得るために、これらの実験の基準として、多糖類ミクロゲルを含有しない既知の洗剤組成物を使用した。多糖類ミクロゲルを含有しない、これらの洗剤の洗浄力を測定し、その後、界面活性剤の濃度がより低く、同様の洗浄力を有し、多糖類ミクロゲルを基剤または添加剤として含有する同様の洗剤を設計した。
【００３６】
洗剤の洗浄力を測定することには、標準的な汚染の調製、脂肪と性質の異なる硬い粒子との混合物の再現、これらの汚染物を表面に適用すること、標準条件下で汚染表面を０．２％の洗剤溶液で処理すること、および表面を有機溶媒で洗い流すことによって汚染残留物を測定することが含まれた。
【００３７】
多糖類ミクロゲルの調製には、原形の多糖類を、加水分解、カルボキシメチル化、アルキル化、アシル化、アンモノリシスもしくはヒドラジン分解によって、または原形の多糖類を脂肪族アミンと反応させることによって、またはウギ反応によって、または（場合によっては）ジエーテル、ジアミン、ジアルデヒド、ジイソシアニド、ジイソシアネート、ジイソシアニド、ゲニピン、もしくはその他の架橋試薬との反応を使用して多糖類を化学的に架橋させることによって、変性することが含まれた。その後、ミクロゲル粒子の形成を確実にする最適なｐＨに、酸溶液またはアルカリ溶液のいずれかを添加することによって、到達させた。
【００３８】
洗剤の調製は、通常は、脱イオン水において界面活性剤溶液を調製すること、一方で同時に多糖類ミクロゲルの懸濁液を調製すること、上記２つを激しく撹拌して混合すること、その後、酸、アルカリ、防腐剤、懸濁物質、キレート剤およびその他の補助的な成分を添加すること、が含まれた。
【発明を実施するための形態】
【００３９】
発明の提案されるクラスターを、以下の実施例を使用して説明する。
【実施例１】
【００４０】
食器および食卓用金物類用洗浄液（ｐＨは中性）
乾燥重量を基準として、１％のカルボキシルメチルセルロース（ＣＭＣ）ベースのミクロゲル、４．５％のラウレス硫酸ナトリウム（ココナッツオイルベース）、１．８％のココナッツジエタノールアミド（ココナッツオイルベース）、４％の塩化ナトリウム、４％の懸濁剤、０．１％の防腐剤。ミクロゲルを導入したことにより、アニオン性界面活性剤およびノニオン性界面活性剤の全体の濃度が、洗浄力に影響することなく１０から６．３％へ低減された。
【実施例２】
【００４１】
日常的な洗浄のための、家庭用汎用液体（ｐＨは中性）
乾燥重量を基準として、０．５％のペクチンアンモニウム塩ベースのミクロゲル、４．０％のアルキルベンゾサルフェートナトリウム、２．５％のココナッツジエタノールアミド（ココナッツオイルベース）、４％の懸濁剤、０．１％の防腐剤。このミクロゲルにより、アニオン性界面活性剤およびノニオン性界面活性剤の全体の濃度が、洗浄力に影響することなく１０から６．５％へ低減された。
【実施例３】
【００４２】
低アレルギー誘発性液体石鹸（ｐＨは中性）
乾燥重量を基準として、３％のカルボキシメチル化デンプンベースのミクロゲル、３．５％のラウレス硫酸ナトリウム（ココナッツオイルベース）、１％のアルキルベンゾサルフェートナトリウム、２．０％のココナッツジエタノールアミド（ココナッツオイルベース）、２％のグリセリン、４％の懸濁剤、０．１％の防腐剤。このミクロゲルにより、アニオン性界面活性剤およびノニオン性界面活性剤の全体の濃度が、洗浄力に影響することなく１０から６．５％へ減少した。
【実施例４】
【００４３】
床洗浄剤（ｐＨは中性）
乾燥重量を基準として、０．１％のキトサンベースのミクロゲル、４．０％のヘキサデシルトリメチルアンモニウムクロリド、１．８％のｅｌｏｔａｎｔ  ＣＳＡＥ１２０（ＡＰＧ８−１０）、０．１％の防腐剤。このミクロゲルにより、アニオン性界面活性剤およびノニオン性界面活性剤の全体の濃度が、洗浄力に影響することなく１０から５．８％へ低減された。
【実施例５】
【００４４】
ガラスおよび鏡洗浄用中性液体（ｐＨは中性）
乾燥重量を基準として、０．３％のペクチンベースのミクロゲル、３．５％のｅｌｏｔａｎｔ  ＣＳＡＥ１２０（ＡＰＧ８−１０）、０．１％の防腐剤。このミクロゲルにより、アニオン性界面活性剤およびノニオン性界面活性剤の全体の濃度が、洗浄力に影響することなく１０から３．５％へ低減された。
【実施例６】
【００４５】
カーペットおよび室内装飾品洗浄剤（ｐＨは中性）
乾燥重量を基準として、１．５％のカルボキシメチル化デンプンベースのミクロゲル、４．２％のラウレス硫酸ナトリウム（ココナッツオイルベース）、２．１％のココナッツジエタノールアミド（ココナッツオイルベース）、５％のメトキシプロパノール、４％の懸濁剤、０．１％の防腐剤。このミクロゲルにより、アニオン性界面活性剤およびノニオン性界面活性剤の全体の濃度が、洗浄力に影響することなく１０から６．３％へ低減された。
【実施例７】
【００４６】
セラミックタイルの業務用洗浄剤（ｐＨは弱酸性）
乾燥重量を基準として、１％のＣＭＣベースのミクロゲル、１２％の酢酸、３．８％のｅｌｏｔａｎｔ  ＣＳＡＥ（ＡＰＧ８−１０）、１．０％のココナッツジエタノールアミド（ココナッツオイルベース）、０．１％の防腐剤。
このミクロゲルにより、アニオン性界面活性剤およびノニオン性界面活性剤の全体の濃度が、洗浄力に影響することなく１０から４．８％へ低減された。
【実施例８】
【００４７】
調理用コンロのアルカリ性洗浄剤（ｐＨは強アルカリ性）
乾燥重量を基準として、２％のキトサンベースのミクロゲル、１５％の苛性ソーダ、２．０％のｅｌｏｔａｎｔ  Ｍｉｌｃｏｓｉｄｅ１００（ＡＰＧ８−１０）、０．２％のキレート剤。このミクロゲルにより、アニオン性界面活性剤およびノニオン性界面活性剤の全体の濃度が、洗浄力に影響することなく５から２％へ低減された。
【実施例９】
【００４８】
衛生陶器洗浄剤（ｐＨは強酸性）
乾燥重量を基準として、１％のＣＭＣベースのミクロゲル、１０％のスルファミン酸、１０％のシュウ酸、１．５％のエトキシエチル化スピリットエトキシル化アルコール、０．１％の防腐剤。このミクロゲルにより、アニオン性界面活性剤およびノニオン性界面活性剤の全体の濃度が、洗浄力に影響することなく５から１．５％へ低減された。
【実施例１０】
【００４９】
業務用酸性洗浄剤（ｐＨは強酸性）
乾燥重量を基準として、５％のＣＭＣベースのミクロゲル、１０％のオルトリン酸、１５％のシュウ酸、０．５％のエトキシエチル化スピリットエトキシル化アルコール、０．１％の防腐剤。このミクロゲルにより、アニオン性界面活性剤およびノニオン性界面活性剤の全体の濃度が、洗浄力に影響することなく２から０．５％へ低減された。
発明の提案されるクラスターを、疎水性凝集で変性した多糖類ミクロゲルを含有する洗剤の、以下の実施例を使用して説明する。
【実施例１１】
【００５０】
食器および食卓用金物類用洗浄液、組成物１（ｐＨは中性）
乾燥重量を基準として、１５．０％の置換で、脂肪族置換Ｃ８で変性したカルボキシルメチルセルロース（ＣＭＣ）ベースのミクロゲルが１．０％の濃度、３．８％のラウレス硫酸ナトリウム（ココナッツオイルベース）、１．７％のココナッツジエタノールアミド（ココナッツオイルベース）、４．０％の懸濁剤、０．１％の防腐剤。
このミクロゲルにより、洗浄力に影響することなく、アニオン性界面活性剤およびノニオン性界面活性剤の全体の濃度が１０から５．５％へ低減され、組成物から塩化ナトリウムが排除された。
【実施例１２】
【００５１】
食器および食卓用金物類用洗浄液、組成物２（ｐＨは中性）
乾燥重量を基準として、２５．０％の置換で、ココナッツオイルベースの脂肪族置換Ｃ８〜Ｃ１６で変性したペクチンベースのミクロゲルが０．５％の濃度、５．１％のラウレス硫酸ナトリウム（ココナッツオイルベース）、２．０％のココナッツジエタノールアミド（ココナッツオイルベース）、４．０％の懸濁剤、０．１％の防腐剤。
このミクロゲルの添加により、洗浄力に影響することなく、アニオン性界面を活性させる剤およびノニオン性界面を活性させる剤の全体の濃度が１０から７．１％へ低減され、組成物から塩化ナトリウムが排除された。
【実施例１３】
【００５２】
低アレルギー誘発性液体石鹸（ｐＨは中性）
乾燥重量を基準として、５０．０％の置換で、ココナッツオイルベースの脂肪族置換Ｃ８〜Ｃ１８で変性したデンプンベースのミクロゲルが２．０％の濃度、１．２％のアルキルベンゾスルホン酸、１．８％のココナッツジエタノールアミド（ココナッツオイルベース）、２．０％のグリセリン、４．０％の懸濁物質、０．１％の防腐物質。
このミクロゲルの添加により、アニオン性界面活性剤およびノニオン性界面活性剤の全体の濃度が、洗浄力に影響することなく１０から３．０％へ低減された。
【実施例１４】
【００５３】
セラミックタイルの業務用洗浄剤（ｐＨは弱酸性）
乾燥重量を基準として、２０．０％の置換で、脂肪族置換Ｃ８で変性したＣＭＣベースのミクロゲルが０．３％の濃度、１２．０％の酢酸、４．２％のｅｌｏｔａｎｔ  ＣＳＡＥ１２０（ＡＰＧ８−１０）、１．１％のジアタノールアミドココナッツジエタノールアミド（ココナッツオイルベース）、０．１％の防腐剤。
このミクロゲルの添加により、洗浄力に影響することなく、アニオン性界面活性剤およびノニオン性界面活性剤の全体の濃度が１０から５．３％へ低減され、組成物から塩化ナトリウムが排除された。
【実施例１５】
【００５４】
調理用コンロ洗浄用のアルカリ性洗浄剤、組成物１（ｐＨは高アルカリ性）
乾燥重量を基準として、１０．０％の置換で、脂肪族置換Ｃ１２で変性したキトサンベースのミクロゲルが０．１％の濃度、１５．０％の苛性ソーダ、１．０％のｅｌｏｔａｎｔ  Ｍｉｌｃｏｓｉｄｅ（ＡＰＧ８−１０）、０．２％のキレート剤。このミクロゲルの添加により、洗浄力に影響することなく、アニオン性界面活性剤およびノニオン性界面活性剤の全体の濃度が５．０から１．０％へ低減され、組成物から濃縮剤が排除される。
【実施例１６】
【００５５】
調理用ガスコンロ洗浄用のアルカリ性洗浄剤、組成物２（ｐＨは著しくアルカリ性）
乾燥重量で計算される、１５．０％の置換で、脂肪族置換Ｃ８で変性したペクチンベースのミクロゲルが０．８％の濃度、１５．０％の苛性ソーダ、１．２％のｅｌｏｔａｎｔ  Ｍｉｌｃｏｓｉｄｅ１００（ＡＰＧ８−１０）、０．２％のキレート剤。このミクロゲルの添加により、洗浄力に影響することなく、アニオン性界面活性剤およびノニオン性界面活性剤の全体の濃度が５．０から１．２％へ低減され、組成物から増粘剤が排除された。
【実施例１７】
【００５６】
衛生陶器洗浄剤、組成物１（ｐＨは高酸性）
乾燥重量を基準として、３０．０％の置換で、オイル加工製品ベースの分岐鎖脂肪族置換Ｃ８〜Ｃ１６で変性したＣＭＣベースのミクロゲルが２．０％の濃度、１０．０％のスルファミン酸、０．１％の防腐剤。このミクロゲルの添加により、洗浄力に影響することなく、すべてのアニオン性界面活性剤およびノニオン性界面活性剤ならびに増粘剤が排除される。
【実施例１８】
【００５７】
衛生陶器洗浄ジェル、組成物２（ｐＨは強酸性）
乾燥重量を基準として、２０．０％の置換で、アリール置換Ｐｈで変性したキトサンベースのミクロゲルが１．５％の濃度、１０．０％のスルファミン酸、１０．０％のシュウ酸、０．１％の防腐剤。このミクロゲルの添加により、洗浄力に影響することなく、すべてのアニオン性界面活性剤およびノニオン性界面活性剤ならびに増粘剤が排除される。
【００５８】
【表１】
0006894526.tif 000002
【００５９】
【表２】
0006894526.tif 000003